(57)【特許請求の範囲】
【請求項１】
容器本体１と蓋体２とを後部で枢着し、その蓋体の内面に鏡３を貼着した鏡付き容器において、上記容器本体１に上記蓋体２を常開角度以上の過開可能に枢着するとともに、その過開を阻止する可動ストッパー４を解除動可能に装備させ、また、その蓋体２の枢着部５には、上記常開角度内でのみ蓋体２に従回動する鏡分離用レバー６を付設装備させて、該レバーを上記鏡３の裏面へ機械的に係合させたことを特徴とする鏡付き容器。
【請求項２】
上記可動ストッパー４として、上記容器本体１の後部適所にスライダー７を装着し、該スライダーから突設したストッパー片８を上記蓋体２の枢着部５と上記容器本体１の枢着凹部９との間へ過開阻止可能に介入させ、また、上記枢着凹部９の適所に上記鏡分離用レバー６の過回動を阻止する固定ストッパー10を突設した請求項１記載の鏡付き容器。
【請求項３】
上記容器本体１の枢着部11と枢着凹部９につき、その容器本体１の後面中途部から後方へ左右一対の枢着部11を突設して、両枢着部11の中間を枢着凹部９とし、上記蓋体２の枢着部５につき、上記枢着凹部９の左右両端に対応させて蓋体後縁部から左右一対の枢着部５を垂設してその枢着凹部９の左右両端に装入させ、更に、上記鏡分離用レバー６につき、側面形状Ｌ字状に形成して基端枢着部12を上記枢着凹部９の中央部分にて上記蓋体２の両枢着部５の中間に位置させることで、それらの容器本体１の両枢着部11、蓋体２の両枢着部５及び鏡分離用レバー６の基端枢着部12を相互に同芯に枢着し、また、上記スライダー７につき、上記容器本体１の両枢着部11の両脇にて容器本体後面に左右一対のスライダー７をあり・あり溝結合13にて横移動可能に装着し、かつ、上記ストッパー片８につき、それら両スライダー７の内端から内向きに左右一対のストッパー片８を突設して上記蓋体両枢着部５と上記枢着凹部９の左右両端部分との間へと引抜き可能に挿入させ、上記固定ストッパー10につき、上記枢着凹部９の中央部分から後方へ１つの固定ストッパー10を一体に突設し、上記鏡分離用レバー６の先端を上記鏡３の裏面下縁部分へ機械的に係合させた請求項２記載の鏡付き容器。
【発明の詳細な説明】
【０００１】
【発明の属する技術分野】
本発明は、鏡付き容器に関する。
【０００２】
【従来の技術】
近年、資源ゴミ、殊にプラスチックゴミの分別回収が盛んになり、コンパクト容器、化粧用パレット等の鏡付き容器においても、ガラス製の鏡を分離させることが望まれている。
【０００３】
【発明が解決しようとする課題】
しかし、通常、コンパクト容器、化粧用パレット等の鏡付き容器では、鏡は蓋体の内面に接着又は嵌合手段により固定されており、したがって、一般需要者がこれを取り外すことは容易でない。
そこで、本発明は、鏡についての取り外し容易な機械的手段を装備させることにより、廃棄時の分別回収に適合させようとするものである。
【０００４】
【課題を解決するための手段】
ここにおいて、請求項１の発明は、容器本体１と蓋体２とを後部で枢着し、その蓋体の内面に鏡３を貼着した鏡付き容器において、上記容器本体１に上記蓋体２を常開角度以上の過開可能に枢着するとともに、その過開を阻止する可動ストッパー４を解除動可能に装備させ、また、その蓋体２の枢着部５には、上記常開角度内でのみ蓋体２に従回動する鏡分離用レバー６を付設装備させて、該レバーを上記鏡３の裏面へ機械的に係合させたことを特徴とする。
【０００５】
請求項２の発明は、請求項１の鏡付き容器にあって、上記可動ストッパー４として、上記容器本体１の後部適所にスライダー７を装着し、該スライダーから突設したストッパー片８を上記蓋体２の枢着部５と上記容器本体１の枢着凹部９との間へ過開阻止可能に介入させ、また、上記枢着凹部９の適所に上記鏡分離用レバー６の過回動を阻止する固定ストッパー10を突設して成る。
【０００６】
請求項３の発明は、請求項２の鏡付き容器にあって、上記容器本体１の枢着部11と枢着凹部９につき、その容器本体１の後面中途部から後方へ左右一対の枢着部11を突設して、両枢着部11の中間を枢着凹部９とし、上記蓋体２の枢着部５につき、上記枢着凹部９の左右両端に対応させて蓋体後縁部から左右一対の枢着部５を垂設してその枢着凹部９の左右両端に装入させ、更に、上記鏡分離用レバー６につき、側面形状Ｌ字状に形成して基端枢着部12を上記枢着凹部９の中央部分にて上記蓋体２の両枢着部５の中間に位置させることで、それらの容器本体１の両枢着部11、蓋体２の両枢着部５及び鏡分離用レバー６の基端枢着部12を相互に同芯に枢着し、また、上記スライダー７につき、上記容器本体１の両枢着部11の両脇にて容器本体後面に左右一対のスライダー７をあり・あり溝結合13にて横移動可能に装着し、かつ、上記ストッパー片８につき、それら両スライダー７の内端から内向きに左右一対のストッパー片８を突設して上記蓋体両枢着部５と上記枢着凹部９の左右両端部分との間へと引抜き可能に挿入させ、上記固定ストッパー10につき、上記枢着凹部９の中央部分から後方へ１つの固定ストッパー10を一体に突設し、上記鏡分離用レバー６の先端を上記鏡３の裏面下縁部分へ機械的に係合させて成る。
【０００７】
【発明の実施の形態】
図面は、本発明の実施の形態に係る平面形状が横長長方形で扁平なコンパクト容器を示している。
図において、１は、容器本体、２は、該容器本体と後部で枢着した蓋体で、これらは合成樹脂成形して成る。３は、その蓋体の内面に貼着したガラス製の鏡である。
蓋体２は、容器本体１に対して常開角度以上の過開可能に枢着するとともに、その過開を阻止して常開角度を維持する可動ストッパー４を解除動可能に装着しており、また、蓋体２の枢着部５には、蓋体２の常開角度内でのみ蓋体２に従回動する鏡分離用レバー６を付設装備させて、該鏡分離用レバーを鏡３の裏面へ機械的に係合させている。
【０００８】
具体的には、容器本体１は、後面中途部から後方へ左右一対の枢着部11を突設して、両枢着部11の中間を枢着凹部９としており、蓋体２は、後縁部からその枢着凹部９の左右両端に対応する左右一対の枢着部５を垂設して、両枢着部５をその枢着凹部９の左右両端に装入させ、それら容器本体１の両枢着部11と蓋体２の両枢着部５を共通の一の横軸14で枢着しており、また、鏡分離用レバー６は、側面形状Ｌ字状に形成し、基端枢着部12を上記枢着凹部９の中央部分にて蓋体２の両枢着部５の中間に位置させて、上記横軸14で共に枢着している。
なお、一つの横軸14に代えて、隣接相互間でそれぞれ互いに嵌合させる軸穴と片持ち軸を設けてもよい。
【０００９】
鏡２は、蓋体２の内面にて鏡２の周縁部に対応させて形成した凹段部15と、該凹段部の内側の凹没部16内に突設した突条17とに、接着剤等により適宜に接合させており、また、蓋体２の内面には、鏡分離用レバー６に対応させかつ鏡２の背後の凹没部16に連ねてレバー用窪み18を設け、該レバー用窪み18に鏡分離用レバー６を収納させ、該鏡分離用レバー６の先端を鏡３の裏面下縁部分へ機械的に係合させている。
【００１０】
可動ストッパー４は、容器本体１の両枢着部11の両脇で、容器本体１の後面に左右一対のスライダー７を配して、これらのスライダー７をそれぞれ容器本体１の後面にあり・あり溝結合13にて横移動可能に装着し、両スライダー７の内端から内向きに左右一対のストッパー片８を突設して、両ストッパー片を蓋体２の両枢着部５と上記枢着凹部９の左右両端部分との間へ各々引抜き可能に挿入させることで蓋体２の過開を阻止するようにしている。
鏡分離用レバー６は、上記枢着凹部９の中央部分から後方へ１つの固定ストッパー10を突設することで過回動を阻止するようにしており、以て蓋体２の常開角度内でのみ蓋体２に従回動させるようにしている。
【００１１】
如上の構成であるから、コンパクト容器としての使用中は、蓋体２を所要の常開角度まで開蓋させることができ（図１、図５、図６）、化粧に供することができる。
使用済みとなり、廃棄するときは、まず、可動ストッパー４を解除動させる。つまり、左右一対のスライダー７を外方へ摺動させて、左右一対のストッパー片８を蓋体２の両枢着部５と上記枢着凹部９の左右両端部分との間から引き抜いて、蓋体２を過回動可能な態勢にする。次いで、その蓋体２を常開角度以上により強い力で過回動させる。このとき、鏡分離用レバー６の回動が固定ストッパー10により常開角度に止まるのに対し、蓋体２だけが過回動することとなるため、鏡２が鏡分離用レバー６の先端で突き上げられて、蓋体２から剥離されることとなる（図７）。したがって、材質の異なるガラス製の鏡２だけを簡単に分別することができ、分別回収に供することができる。
【００１２】
【発明の効果】
本発明によれば、既述構成であるから、使用済み廃棄の際には、可動ストッパー４を解除動させて、蓋体２を常開角度以上に過開動させることにより、他の部分と材質の異なる蓋体２の内面の鏡３を蓋体２から簡単に剥離させることができ、工具等を用いることもなく極めて容易に分別できて、支障なく分別回収に供することができる。
また、可動ストッパー４があり、該可動ストッパーが蓋体２の過回動を阻止するので、該可動ストッパーを解除動させない限り、鏡３が剥離されるようなことはなく、容器使用中に鏡３が不意に外れるようなことはない。
しかも、構造並びに製作を容易なものにすることができ、安価に提供することができる。
【図面の簡単な説明】
【図１】  本発明の実施の形態に係るコンパクト容器を示す開蓋態勢の斜視図である。
【図２】  同コンパクト容器において容器本体を後方から見た斜視図である。
【図３】  図１のＡ−Ａ線要部縦断斜視図である。
【図４】  可動ストッパーを解除動させた状態の図１のＡ−Ａ線要部縦断斜視図である。
【図５】  同コンパクト容器において蓋体を常開角度いっぱいに開蓋させた状態での図１のＢ−Ｂ線要部縦断側面図である。
【図６】  同コンパクト容器において蓋体を常開角度いっぱいに開蓋させた状態での図１のＣ−Ｃ線要部縦断側面図である。
【図７】  同コンパクト容器において蓋体を過回動させた状態での図１のＣ−Ｃ線要部縦断側面図である。
【符号の説明】
１…容器本体                    ２…蓋体
３…鏡                          ４…可動ストッパー
５…枢着部                      ６…鏡分離用レバー
７…スライダー                  ８…ストッパー片
９…枢着凹部                    10…固定ストッパー
11…枢着部                      12…基端枢着部
13…あり・あり溝結合            14…横軸
15…凹段部                      16…凹没部
17…突条                        18…レバー用窪み
【図１】
0003791746.tif 000002
【図２】
0003791746.tif 000003
【図３】
0003791746.tif 000004
【図４】
0003791746.tif 000005
【図５】
0003791746.tif 000006
【図６】
0003791746.tif 000007
【図７】
0003791746.tif 000008